(57)【要約】【課題】洗面化粧台や浴室等に取りつけられる収納三面鏡や一面鏡の本体等に、落下防止用等のバーを簡単な構成で、迅速、かつ取付後も外力でずれるようなことがなく安定して確実に、しかも見栄え良く取り付けることのできるバーの取付構造を実現する。【解決手段】収納三面鏡１の本体９下部の傾斜面１０の部分に形成された取付孔１４に、取付具１５の凸部１８を挿通して、取付具１５の凸部１８を受け具１６の筒孔１９（凹部）に嵌入し、取付具１５のフランジ２１と受け具１６のフランジ２１によって、傾斜面１０の部分を挟み込んだ状態となっており、この状態で、取付具１５の差し込み部にバー１１の取付端部を差し込んで、受け具１６の裏面からネジ１７をバー１１のネジ１７孔に螺着することで、取付具１５と受け具１６は、収納三面鏡１の傾斜面１０の部分を挟み込み互いに締着され、かつバー１１が固定される。【選択図】図２
2006263186.tif 000002
【特許請求の範囲】
【請求項１】
被取付体の取付孔に、取付具の凸部を挿入して、該取付具の凸部を受け具の凹部に収め、前記取付具と受け具で収納体を挟み込んだ後、前記取付具の差し込み部にパイプ状のバーを差し込んで、前記受け具の裏面からネジにより固定するバー取付構造であって、
取付孔が被取付体の傾斜面に形成されており、前記ネジで固定する際に、前記取付具と受け具が互いに回転しないように回り止めできる形状に形成されていることを特徴とするバー取付構造。
【請求項２】
請求項１記載のバー取付構造であって、前記取付具の外面と、前記受け具の内面の円周の一部に直線部が形成され、互いに回り止め可能であることを特徴とするバー取付構造。
【請求項３】
請求項１又は２記載のバー取付構造であって、前記取付具と受け具に、被取付体の傾斜面に沿うフランジが一体に形成されていることを特徴とするバー取付構造。
【発明の詳細な説明】
【技術分野】
【０００１】
本発明は、洗面化粧台や浴室で使用される三面鏡本体の収納部や一面鏡の本体、その他の屋内設備等に取り付けられる各種用途のバーの取付構造に関し、特に、バーが取り付けられる三面鏡の収納部や一面鏡の本体、その他の屋内設備等（このようにバーが取り付けられる設備等を「被取付体」という。）が、傾斜面を有し、この傾斜面にバーを簡単且つ安定して確実に取り付けることのできるバー取付構造に関するものである。
【背景技術】
【０００２】
従来、浴室、洗面室等の壁面に設置される収納棚の棚板部においた備品等が落下することを防止するために、取り付けられる落下防止バーは知られている。又、収納棚にコップ等を掛けるために取付け用のバーも知られている。
【０００３】
ところで、収納棚に取り付ける落下防止バーの取付構造として、落下防止バーの取付端の係止凸部を収納棚の取付孔の裏側まで嵌入し、裏側においてクサビを係止凸部のクサビ孔に嵌入して固定する取付構造は知られている（特許文献１参照）。
【０００４】
同様に、収納棚の取付孔の裏側まで嵌入した落下防止バーの取付端の係止凸部に止リングを装着し、この止リングを係止凸部に締め付けることにより固定する落下防止バーの取付構造は知られている（特許文献２参照）。
【０００５】
図４は、別の従来例を示し、洗面化粧台等に取りつけられる一面鏡３９のバー取付構造を示す図である。このバー取付構造は、図４（ａ）、（ｂ）に示すように、一面鏡３９の本体４０の左右の部分４１の間に、Ｕ型のバー４２が架け渡されて取り付けられている。一面鏡３９の本体４０の左右の部分４１は、図４（ｃ）に示すように、鏡に向けて傾斜面として形成されている。
【０００６】
この傾斜面を有する左右の部分４１には、図４（ｂ）〜（ｄ）に示すように、凹部４３が形成されており、この凹部４３の垂直な底部４４にバー４２の取付端部４５が固定されている。この取付構造４６は、図４（ｅ）に示すように、底部４４の取付孔４７に正面側からブッシュ４８を挿入し、このブッシュ４８内にバーの取付端部４５を挿入して、このバー４２に対して、裏面側からネジ４９を補強板５０を介して螺着して固定する構造である。
【特許文献１】実開平２−１１６８５１号公報
【特許文献２】実公平５−０４２７６１号公報
【発明の開示】
【発明が解決しようとする課題】
【０００７】
上記特許文献１、２に示す従来の取付構造は、落下防止バーの取付端の係止凸部にクサビや止リングをかしめて締め付ける構造であるから、日常、使用者が力をいれて触れたり、物が当たったりして外力が加わったりすると、取付部が緩んだりすることが生じる。
【０００８】
また、図４に示す別の従来例のように、洗面化粧台の一面鏡３９の傾斜面を有する左右の部分にバー４２を取り付ける構造では、この傾斜面に凹部４３を形成し、バー４２に対して垂直な底部４４を形成して取り付ける必要があり、構造が複雑となってしまう。
【０００９】
このように一面鏡の傾斜面を有する左右の部分に凹部を形成することがなく、傾斜面に直接取り付けるために、傾斜したブッシュ等を介装してもよいが、構成が複雑となり、しかも取付の安定性及び見栄えが悪くなる。
【００１０】
本発明は、上記従来の問題を解決することを目的とするものであり、洗面化粧台や浴室等に取り付けられる収納三面鏡や一面鏡の本体、その他の屋内、屋外設備等に、落下防止バー、タオル掛けバーのような各種の目的のバーを取り付ける構造において、取付面が傾斜面であっても、バーを簡単な構成で、迅速、かつ取付後も外力でずれるようなことがなく安定して確実に、しかも見栄え良く取り付けることのできるバーの取付構造を実現することを課題とする。
【課題を解決するための手段】
【００１１】
本発明は上記課題を解決するために、被取付体の取付孔に、取付具の凸部を挿入して、該取付具の凸部を受け具の凹部に収め、前記取付具と受け具で収納体を挟み込んだ後、前記取付具の差し込み部にパイプ状のバーを差し込んで、前記受け具の裏面からネジにより固定するバー取付構造であって、取付孔が被取付体の傾斜面に形成されており、前記ネジで固定する際に、前記取付具と受け具が、互いに回転しないように回り止めできる形状に形成されていることを特徴とするバー取付構造を提供する。
【００１２】
前記バー取付構造において、前記取付具の外面と、前記受け具の内面の円周の一部に直線部が形成され、互いに回り止め可能である構成とすることが好ましい。
【００１３】
前記バー取付構造において、前記取付具と受け具に、被取付体の傾斜面に沿うフランジが一体に形成されている構成であることが好ましい。
【発明の効果】
【００１４】
以上の構成の本発明に係るバー取付構造によれば、次のような顕著な効果が生じる。
（１）本発明に係るバー取付構造は、バーを取り付ける対象である取付面が傾斜面であっても、バーを簡単な構造で、簡単、迅速に取り付けることができ、しかも取付後に外力が加わっても、ずれたりせず、安定した状態で確実に固定でき、しかも見栄え良く取り付けることができる。
【００１５】
（２）互いに嵌合する取付具の外面及び受け具の内面に、それぞれ平坦面が形成されて互いに当接する構造であるから、ネジで固定する際に、取付具と受け具が互いに係合することによって、回り止め効果を有し、さらに、取り付けすべき傾斜面の部分に形成された取付孔にも取付具外面の平坦面に係合する直線部が形成されているから、取付具が、取り付けすべき傾斜面の部分に対して回り止め効果を有する。
【００１６】
（３）取付具及び受け具の開口部の周縁には、取付すべき傾斜面に沿った角度を有するフランジが形成されているから、取付具と受け具は、傾斜面の部分を確実に挟み込むことができる。さらに、受け具の裏面からネジをバーのネジ孔内に螺着することにより、互いにしっかりと締着されるから、バーに外力が加わっても、バーはずれるようなことがなくしっかりと、固定されることができる。
【発明を実施するための最良の形態】
【００１７】
本発明に係るバー取付構造を実施するための最良の形態を実施例に基づき図面を参照して、以下に説明する。
【００１８】
本発明は、被取付体（バーが取りつけられる物体）の傾斜面に、バーを簡単、且つ安定して確実に取り付けることのできるバー取付構造に関するものである。被取付体としては、洗面化粧台や浴室で使用される収納三面鏡や一面鏡の本体、その他の屋内設備等いろいろな物が想定されるが、以下の実施例では、「被取付体」として、収納三面鏡及び一面鏡を例に挙げて説明する。
【実施例１】
【００１９】
図１、２は本発明の実施例１を説明する図である。図１（ａ）、（ｂ）は、本発明に係るバー取付構造が適用された収納三面鏡１を示す図である。この収納三面鏡１は、例えば、図１（ｃ）、（ｄ）に示すように、洗面化粧台２において、水栓３やシンク４を有するベースキャビネット５と組み合わせて使用される。
【００２０】
収納三面鏡１は、図１（ａ）に正面図で示すように、その本体の正面中央部の鏡と、左右の収納部の前面扉に付設された左右の鏡から成る三面鏡６が設けられている。三面鏡６の上方前面には照明器７が設けられ、下方の本体前面にはコンセント、スイッチ８等が設けられている。
【００２１】
収納三面鏡１の本体９の下部前面が、図１（ｂ）に側面図で示すように、傾斜面１０として形成されている。この傾斜面１０の部分に、全体的にＵ型のバー１１が下方に向けてほぼ垂直に取り付けられている。バー１１の両端が傾斜面１０の部分に本発明に係るバー取付構造によって固定されている。このバー１１は、パイプ状のものであるが、その両端の取付端部１２には、ネジ孔１３（図２（ｉ）参照）が形成されている。
【００２２】
収納三面鏡１の傾斜面１０の部分にバー１１を取り付けるのであるが、このバー取付構造及びその構成要素（部品）を図２において説明する。この取付構造では、収納三面鏡１の傾斜面１０の部分には取付孔１４（特許請求の範囲の「被取付体の取付孔」に相当する。）が形成されている。
【００２３】
本発明に係るバー取付構造は、この取付孔１４にバー１１を取り付けるために、取付具１５、受け具１６及びネジ１７を備えている。取付孔１４の形状は、円形の円周の一部に直線が形成されたほぼＤ字型の形状である。したがって、実施例１では、取付具１５は収納三面鏡１の本体９に対して回り止め機能を有している。但し、本発明の取付孔１４の形状は、円形でもよい。
【００２４】
取付具１５（ブッシュ）は、ＡＢＳ樹脂等の材料で形成され、図２（ａ）〜（ｄ）に示すように、凸部１８を有している。この凸部１８は、ほぼ円筒状に形成されており、その内側の筒孔１９は断面円形の差込部として形成され、その内径は、バー１１の取付端部１２が嵌入できる程度の寸法である。
【００２５】
凸部１８の外面の断面形状は、図２（ｃ）の平面図に示すように、円形の円周の一部に直線部２０が形成され、ほぼＤ字型の形状である。即ち、凸部１８は、円筒の外面の一部に、平坦面２０（断面の直線部２０に対応する面であるので同じ符号を付す。）が凸部１８の長手方向に延びるような形状に形成されている。この平坦面２０は、回り止め機能を有する。
【００２６】
このような凸部１８の外面の断面形状は、取付孔１４の形状と同じ（相似）であるが、凸部１８が取付孔１４に嵌入される程度に取付孔１４より小さい寸法に形成されている。
【００２７】
凸部１８の下端、要するに筒孔１９の下端（図２で下側）は、図２（ｂ）に示すように、斜めに開口し、この開口の周縁にはフランジ２１が一体に形成されている。このフランジ２１は、収納三面鏡１の傾斜面１０と同じ角度で傾斜して形成されている。凸部１８の上端は閉じられているが、ネジ挿通孔２２が貫通して形成されている。
【００２８】
受け具１６は、ＡＢＳ樹脂等の材料で形成され、図２（ｅ）〜（ｈ）に示すように、外観が筒状の凹部２３を有している。この凹部２３の内側の筒孔２４は、その断面形状が、取付具１５の凸部１８の外面の断面形状と同じ（相似形）である。即ち、筒孔２４の内面の断面形状は、円周の一部に直線部２５が形成されたほぼＤ字型の形状である。
【００２９】
即ち、受け具１６の筒孔２４の内面の一部に、平坦面２５（断面の直線部２５に対応する面であるので同じ符号を付す。）が凹部２３の長手方向に延びるような形状に形成されており、この平坦面２５は、回り止め機能を有する。なお、この受け具１６の筒孔２４の断面形状は、取付具１５が嵌入出来る程度に、取付具１５の断面形状より、やや大きな寸法に形成されている。
【００３０】
受け具１６の凹部２３の下端（図２で下側）は、図２（ｆ）に示すように、取付具１５と同様で、斜めに開口し、その開口の周縁には、収納三面鏡１の本体９下部の傾斜面１０と同じ角度で傾斜したフランジ２６が形成されている。凹部２３の上端は閉じられているが、ネジ挿通孔２７が貫通して形成されている。
【００３１】
以上に説明した部品を使用して、収納三面鏡１の傾斜面１０の部分に形成された取付孔１４に、バー１１を取り付けるバー取付構造２８を図２（ｉ）に示す。このバー取付構造２８では、収納三面鏡１の傾斜面１０の部分に形成された取付孔１４に、取付具１５の凸部１８が挿通されている。そして、取付具１５の凸部１８は、さらに受け具１６の凹部２３（具体的には筒孔１９）内に嵌入されている。これにより、取付具１５のフランジ２１と受け具１６のフランジ２６によって、傾斜面１０の部分を挟み込んだ状態とされる。
【００３２】
この状態で、取付具１５の筒孔１９（差し込み部）内にバー１１の取付端部１２を差し込んで、受け具１６の裏面側から、ネジ１７をネジ挿通孔２２、２７を通し、さらにバー１１のネジ孔１３に螺着することで、取付具１５と受け具１６は、収納三面鏡１の傾斜面１０の部分を挟持して互いに締着され、かつバー１１が傾斜面１０の部分に固定された構造となる。
【００３３】
取付具１５の凸部１８の外面に形成された平坦面２０が、受け具１６の凹部２３の内面（筒孔２４の内面）に形成された平坦面２５と当接するとともに、傾斜面１０の部分に形成された取付孔１４の平坦面（図示せず）とも当接し、ネジ１７で固定する際に、取付具１５と受け具１６が互いに係合するために、互いに回転するようなことがなく、しかも取付具１５が収納三面鏡１の傾斜面１０の部分に対しても係合し、回り止めとなる。
【００３４】
このために、本発明に係るバー取付構造２８は、バー１１を収納三面鏡１の傾斜面１０の部分にネジ１７で固定する際に、取付作業が簡単でし易く、しかも取付後もしっかり固定され、バー１１に外力が加わっても、バー１１がずれたり、はずれたりしにくくなる。
【実施例２】
【００３５】
図３は本発明の実施例２を説明する図である。この実施例２は、実施例１でも説明した本発明に係るバー取付構造２８が一面鏡に適用された例である。この一面鏡２９は、例えば、実施例１と同様に、洗面化粧台において、水栓やシンクを有するベースキャビネット３０（想像線で示す部分）と組み合わせて使用したり、或いは浴室の壁に取り付けられたりして使用される。
【００３６】
この一面鏡２９は、図３（ａ）に正面図で示すように、その本体３３の正面中央部に一枚の鏡３１が設けられ、鏡３１の上方前面には、図３（ａ）、（ｂ）に示すように、照明器３２が設けられている。一面鏡２９の本体３３左右両側部の前面には、コンセント、スイッチ、壁固定用ネジ挿通孔等が設けられている。
【００３７】
一面鏡２９の本体３３の左右両側部の前面は、それぞれ図３（ａ）において矢印Ａ方向に見た図３（ｃ）で示すように、それぞれ鏡３１の面に向けて傾斜した傾斜面３４として形成されている。この左右の傾斜面３４の間に架け渡され、全体的にＵ型のパイプ状のバー３５が、図３（ｂ）の側面図に示すように、前方に向けてほぼ水平に取り付けられている。
【００３８】
このバー３５は、一面鏡２９が例えば浴室に設置される場合は、タオル掛け等として利用される。また、このバー３５は、一面鏡２９が例えば洗面化粧台において設置される場合は、その下方にバー３５と平行な棚３６（想像線で示す）を設ければ、この棚３６に載置する化粧品や洗剤等の収納ボトル３７の落下防止用のバーとして機能することとなる。
【００３９】
一面鏡２９の本体３３の左右両側部の傾斜面３４の部分には、図示はしないが、実施例１と同様の構成の取付孔（特許請求の範囲の「被取付体の取付孔」に相当する。）が形成されており、一方、バー３５の両端の取付端部３８には、実施例１のバー１１と同様に、ネジ孔が形成されている。
【００４０】
このＵ型のバー３５の取付端部３８を、一面鏡２９の本体３３の左右両側部の取付孔に挿入して取り付けるが、このバー取付構造は、実施例１において図２（ｉ）で説明したバー取付構造２８と同じであり、その部品は図２（ａ）〜（ｈ）で示した物と同じであるから、その説明はここでは省略する。
【００４１】
以上、本発明に係るバー取付構造を実施するための最良の形態を実施例に基づいて説明したが、本発明はこのような実施例に限定されるものではなく、特許請求の範囲に記載された技術的事項の範囲内でいろいろな実施例があることは言うまでもない。
【産業上の利用可能性】
【００４２】
以上の構成の本発明に係るバー取付構造は、取付面が傾斜面であっても、簡単な構造で、迅速且つ確実に、外力が加えれても安定してバーを取りつけることができるから、収納三面鏡や一面鏡だけでなく、キッチン、浴室、その他の屋内、屋外に設けられる各種の設備へのバーの取付に適用することもできる。
【図面の簡単な説明】
【００４３】
【図１】本発明の実施例１を説明する図であり、（ａ）は本発明に係るバー取付構造が適用される収納三面鏡１を示す正面図であり、（ｂ）はその側面図である。
【図２】本発明の実施例１、２におけるバー取付構造及びその部品を詳細に示す図であり、（ａ）〜（ｄ）は、順に取付具の正面図、断面図、平面図、底面図を示し、（ｅ）〜（ｈ）は、順に受け具の正面図、断面図、平面図、底面図を示す。（ｉ）はバーを取付けた状態を示す図である。
【図３】本発明の実施例２を説明する図であり、（ａ）は本発明に係るバー取付構造が適用される一面鏡を示す正面図であり、（ｂ）はその側面図であり、（ｃ）はその下方から見た平面図（底面図）である。
【図４】従来例を説明する図であり、（ａ）はバーを取りつけた一面鏡を示す正面図であり、（ｂ）はその要部拡大図であり、（ｃ）は（ｂ）のＡ−Ａ断面図であり、（ｄ）は（ｂ）のＢ−Ｂ断面図であり、（ｅ）は取付構造の断面図である。
【符号の説明】
【００４４】
１  収納三面鏡                                      
２  洗面化粧台                                      
３  水栓                                            
４  シンク                                          
５、３０  ベースキャビネット                        
６  三面鏡                                          
７、３２  照明器                                    
８  スイッチ                                        
９  収納三面鏡の本体                                
１０  収納三面鏡本体の傾斜面                        
１１  収納三面鏡に取りつけられたＵ型のバー          
１２、３８、４５  バーの取付端部                    
１３  バーのネジ孔                                  
１４  収納三面鏡の取付孔                            
１５  取付具                                        
１６  受け具                                        
１７、４９  ネジ                                    
１８  取付具の凸部                            
１９  取付具の筒孔                                  
２０  取付具外面の平坦面                            
２１  取付具のフランジ                              
２２  取付具のネジ挿通孔                            
２３  受け具の凹部                            
２４  受け具の筒孔                                  
２５  受け具内面の平坦部                            
２６  受け具のフランジ                              
２７  受け具のネジ挿通孔                            
２８、４６  バー取付構造                            
２９、３９  一面鏡                                  
３１  一面鏡の鏡                              
３３、４０  一面鏡の本体                                  
３４  一面鏡本体の傾斜面                            
３５、４２  一面鏡に取りつけられたＵ型のバー        
３６  棚                                            
３７  化粧品等の収納ボトル                          
４１  一面鏡の本体の左右の部分                      
４３   一面鏡の本体の左右の部分の凹部               
４４   凹部の底部                                   
４７  凹部の底部に形成された取付孔                  
４８  ブッシュ                                      
５０  補強板                                        
【図１】
2006263186.tif 000003
【図２】
2006263186.tif 000004
【図３】
2006263186.tif 000005
【図４】
2006263186.tif 000006